(57)【要約】【課題】          破損し易い極薄の試料管の内面及び外面を短時間に均一且つ良好に洗浄すると同時に乾燥させる。【解決手段】      一端を閉塞する試料管４の開口端より吸引管１３を挿入させ、試料管４の閉塞部上方より供給する洗浄液Ａを試料管４の外側及び内側を流通させ吸引管１３で吸排出させて試料管４を洗浄する。また、一端を閉塞する試料管の開口端を下側として試料管を保持する保持体と、試料管に上端側を挿入させ保持体に下端側を支持させる吸引管と、試料管の外側に配設する洗浄液受管とを設け、試料管の閉塞部上方より供給する洗浄液を試料管の外側及び内側を流通させ吸引管で吸排出させて試料管を洗浄する一方、洗浄後は試料管の外側及び内側を吸引管で空気を流通させて試料管を乾燥する。【選択図】        図２
2005081208.tif 000002
【特許請求の範囲】
【請求項１】
一端を閉塞する試料管の開口端より吸引管を挿入させ、試料管の閉塞部上方より供給する洗浄液を試料管の外側及び内側を流通させ吸引管で吸排出させて試料管を洗浄することを特徴とする試料管の洗浄方法。
【請求項２】
洗浄液による試料管の洗浄後、試料管の外側及び内側を吸引管で空気を流通させて試料管を乾燥することを特徴とする請求項１記載の試料管の洗浄方法。
【請求項３】
一端を閉塞する試料管の開口端を下側として試料管を保持する保持体と、試料管に上端側を挿入させ保持体に下端側を支持させる吸引管と、試料管の外側に配設する洗浄液受管とを設け、試料管の閉塞部上方より供給する洗浄液を試料管の外側及び内側を流通させ吸引管で吸排出させて試料管を洗浄する一方、洗浄後は試料管の外側及び内側を吸引管で空気を流通させて試料管を乾燥することを特徴とする試料管の洗浄装置。  
【請求項４】
保持体の中央部に上側から下側に空気を流通させる吸引孔を形成させ、吸引管と吸引孔とを連通接続させると共に、試料管の開口端と当接する保持体の上面に試料管の内外側を連通させる連通溝を設けたことを特徴とする請求項３記載の試料管の洗浄装置。
【請求項５】
試料管と吸引管と保持体と受管とをそれぞれ分離自在に設けたことを特徴とする請求項３または４記載の試料管の洗浄装置。  
【発明の詳細な説明】
【技術分野】
【０００１】
本発明は大学・病院・各種工場の実験室（研究所）で使用されるＮＭＲ（核磁気共鳴）管など試料管（ガラス試験管）の洗浄及び乾燥を行う試験管の洗浄方法及びその洗浄装置に関する。
【背景技術】
【０００２】
従来、逆さに立てた試料管（試験管）内部にノズルからの洗浄液を噴上げることによって試料管の内部を洗浄する噴上げ式洗浄の技術がある。また単位長さに形成されたガラス管の内部にノズルからの洗浄液を供給して管内部を洗浄する技術がある。（例えば特許文献１）  
【特許文献１】特開平５−２０８１７７号公報
【発明の開示】
【発明が解決しようとする課題】
【０００３】
従来の噴上げ式洗浄においては、噴上げた洗浄液を試料管の底面に当てて洗浄を行うため、試料管の上方に試料管の移動を規制するための蓋など設置を必要とし、また単位長さに形成されたガラス管においてはガラス管の両端部を洗浄液や空気の供給側ノズルと排出側ノズルの各先端部に挾持させてガラス管の洗浄や乾燥を行う構造の複雑さが有ると共に、これら何れの場合にも管と器具との接触で管が破損したり管の内側の洗浄しか行えないという不具合がある。
【課題を解決するための手段】
【０００４】
本発明は、一端を閉塞する試料管の開口端より吸引管を挿入させ、試料管の閉塞部上方より供給する洗浄液を試料管の外側及び内側を流通させ吸引管で吸排出させて試料管を洗浄するものである。
【０００５】
また、洗浄液による試料管の洗浄液、試料管の外側及び内側を吸引管で空気を流通させて試料管を乾燥するものである。
【０００６】
さらに、一端を閉塞する試料管の開口端を下側として試料管を保持する保持体と、試料管に上端側を挿入させ保持体に下端側を支持させる吸引管と、試料管の外側に配設する洗浄液受管とを設け、試料管の閉塞部上方より供給する洗浄液を試料管の外側及び内側を流通させ吸引管で吸排出させて試料管を洗浄する一方、洗浄後は試料管の外側及び内側を吸引管で空気を流通させて試料管を乾燥するものである。
【０００７】
また、保持体の中央部に上側から下側に空気を流通させる吸引孔を形成させ、吸引管と吸引孔とを連通接続させると共に、試料管の開口端と当接する保持体の上面に試料管の内外側を連通させる連通溝を設けたものである。
【０００８】
さらに、試料管と吸引管と保持体と受管とをそれぞれ分離自在に設けたものである。
【発明の効果】
【０００９】
したがって本発明は、一端を閉塞する試料管の開口端より吸引管を挿入させ、試料管の閉塞部上方より供給する洗浄液を試料管の外側及び内側を流通させ吸引管で吸排出させて試料管を洗浄することによって、試料管の外側及び内側を流通する洗浄液でむらなく確実に試料管を洗浄すると共に、試料管に外圧などを作用させる必要のない洗浄を行って極薄の試料管でも破損のない良好な洗浄を可能とさせることができる。
【００１０】
また、洗浄液による試料管の洗浄後、試料管の外側及び内側を吸引管で空気を流通させて試料管を乾燥することのよって、例えば洗浄液の無くなった以後は吸引管により空気を自動的に吸込んで試料管外側及び内側の良好且つ迅速な乾燥を可能とさせることができる。
【００１１】
さらに、一端を閉塞する試料管の開口端を下側として試料管を保持する保持体と、試料管に上端側を挿入させ保持体に下端側を支持させる吸引管と、試料管の外側に配設する洗浄液受管とを設け、試料管の閉塞部上方より供給する洗浄液を試料管の外側及び内側を流通させ吸引管で吸排出させて試料管を洗浄する一方、洗浄後は試料管の外側及び内側を吸引管で空気を流通させて試料管を乾燥することによって、試料管の外側及び内側を洗浄液及び空気を流通させた良好な洗浄及び乾燥を行うと共に、洗浄及び乾燥作業中は吸引管から吸引力で試料管の下端を保持体上面に吸着させる状態とさせて、試料管を破損させることのない適正位置に保った洗浄及び乾燥を可能とさせることができる。
【００１２】
また、保持体の中央部に上側から下側に空気を流通させる吸引孔を形成させ、吸引管と吸引孔とを連通接続させると共に、試料管の開口端と当接する保持体の上面に試料管の内外側を連通させる連通溝を設けたことのよって、試料管を保持体上面に一定立設状態で確実に保持すると共に、試料管の外側から内側に連通溝を介して適正量の洗浄液や空気を流入させて常に安定した洗浄及び乾燥を可能とさせることができる。
【００１３】
さらに、試料管と吸引管と保持体と受管とをそれぞれ分離自在に設けたことのよって、例えば試料管が管径或いは長さの異なるものに必要に応じ変更された場合にも、試料管の管径或いは長さに応じた吸引管・保持体・受管に容易に変更可能とさせて、単一の洗浄装置で各種試料管の洗浄及び乾燥を容易に可能とさせることができる。  
【発明を実施するための最良の形態】
【００１４】
以下、本発明の実施例を図面に基づいて詳述する。
【実施例１】
【００１５】
図１はガラス製試料管の洗浄装置の全体側面図、図２は同断面説明図であり、洗浄装置１はコック２を有する洗浄液供給容器３と、該供給容器３の下方に配設してＮＭＲ（核磁気共鳴）管などのガラス製有底試料管４を洗浄液Ａで洗浄する洗浄部５と、該洗浄部５下側に配設して洗浄液の洗浄液Ａを貯留する排液容器６と、該排液容器６上部の吸出口７に接続させるアスピレーター或いは真空ポンプなど吸引装置８とを備えている。
【００１６】
図３・図４にも示す如く、前記洗浄液５は、試料管４の底部４ａを上側とし開口端４ｂを下側とする逆さ姿勢で上側円板部９上に試料管４を保持する略円柱形の合成樹脂製保持体１０と、試料管４の底部近傍まで上端側を挿入させ保持体１０中央の吸引孔１１より大径の上部嵌合孔１２に下端側を嵌合支持させる小径ステンレス製の吸引管１３と、試料管４の外側に嵌合配設して上部に大径の漏斗部１４ａを形成する受管１４と、保持体１０外周と下外側段部１０ａに上端内周の係合段部１５ａを嵌合させ排液容器６の開口部を密閉するゴム栓１６に下端を貫通させる吸引管１５と、保持体１０の円板部９外周のＯリング溝１７と受管１４下端の鍔部１４ｂ間に介設するＯリング１８と、受管１４の鍔部１４ｂと吸出管１５の外側段部１５ｂを上下より押圧して受管１４と保持体１０間のＯリング１８を圧接させるネジ結合式のブッシュ形及びソケット形の上下接続具１９・２０とを備え、上下接続具１９・２０のネジ結合時受管１４と保持体１０間をＯロング１８で密閉接続させると共に、接続具１９・２０の結合解除時保持体１０・受管１４・吸引管１３・吸出管１５及び試料管４の分離を自在とさせるように構成している。
【００１７】
図５にも示す如く、試料管４の下端を密接させる保持体１０の円板部９上面に試料管４の外側及び内側を連通させる連通溝２１を嵌合孔１２を中心とする十字状に形成し、吸引装置８からの吸引力で保持体１０に試料管４を密接状態とさせるときにも、連通溝２１で試料管４の内外を連通させて、試料管４と受管１４との間の洗浄液Ａ或いは空気を試料管４内側に流入させるように構成している。
【００１８】
本実施例は上記の如く構成するものにして、洗浄装置１の組立にあっては、吸出管１５上部の係合段部１５ａに保持体１０を嵌め込み、保持体１０のＯリング溝１７にＯリング１８を嵌め、保持体１０の嵌合孔１２に吸引管１３を差し込み、この上方より受管１４をＯリング１８を介して吸出管１５に合わせて接続具１９・２０で上下の受管１４と吸出管１５を固定する。
【００１９】
そして吸出管１５の下端にゴム栓１６を取付け排液容器６にゴム栓１６を嵌合させることによって洗浄装置１の組立てを完了させ、以後吸引管１３に必要とする試料管４を被せるだけの簡単な操作で試料管４の洗浄を行うもので、例えば試料管４に長さ１８０ｍｍで外径略６ｍｍ、内厚略０．３ｍｍを用いるとき、吸引管１３の外径が略３ｍｍで、受管１４の内径が略１５ｍｍのものを用いて、保持体１０に試料管４及び吸引管１３組付時にあっては、試料管４の底部４ａと吸引管１３との間に略１〜８ｍｍの隙間を形成させる状態に組付ける。  
【００２０】
そして試料管４上方の供給容器３のコック２を開操作して容器３内の水或いはアルコール或いはアセトンなどの洗浄液Ａ（略５０ｃｃ）を受管１４に供給するとき、吸引装置８の駆動による吸引力で受管１４内の洗浄液Ａは連通溝２１を介して試料管４の内側に流入し、試料管４上方となる底部４ａまで吸上げられて吸引管１３の上端開口より下端開口に流下した後に、吸出管１５を介して容器６内に排出されるもので、供給容器３から供給される洗浄液が受管１４内の上側から下側に吸引装置８の吸込力で流下するとき、試料管４の外側を洗浄し、試料管４の内側を下側から上側に洗浄液が流動するとき試料管４の内側を洗浄する。
【００２１】
また、供給容器３内の洗浄液Ａが無くなったとき、或いはコック２で洗浄液Ａの供給が停止された以後も吸引装置８の駆動の継続によって洗浄液Ａに換って空気を受管１４に吸込んで、受管１４の上側から下側に空気を流下させるとき試料管４の外側を、また連通溝２１を介し試料管４内側の下側から上側に空気を流動させるとき試料管４の内側を均一状に乾燥させるもので、極めて吸引力の小さいアスピレーターなどの吸引装置８を用い、洗浄液Ａ及び空気を短時間に流通させて効率良好な洗浄及び乾燥の一連の洗浄作業を可能とさせることができる。  
【００２２】
また、該実施例の場合、排液容器６と一体に取付けられる保持体１０や受管１４などに対し、試料管４を逆さ状態とさせて吸引管１３に被せ円板部９上に載せるだけの簡単な操作で、試料管４を洗浄開始状態に容易にセット可能とさせ、洗浄作業中は吸引装置８の吸引力で試料管４を円板部９上面に常に接合させ、作業中は試料管４を移動させたり試料管４に衝撃を与えることのない良好な洗浄を可能とさせ、極薄の試料管４でも破壊させることがない。  
【００２３】
またこのため試料管４を上側より蓋を用いて押えるなどの規制の必要もない。
【００２４】
さらに、試料管４として管径の大きい試験管や、両端開口のガラス管など用いても良く、両端開口のガラス管の場合、一端開口部をキャップなどにより閉封させた状態で洗浄を行うと共に、試料管４の管径や長さが異なる場合、この試料管４の管径や長さに対応した吸引管１３や受管１４に交換して、各種試料管４に対し必要とする部品を容易に取り換えて各種試料管４に対応した適正な洗浄を可能とさせる。
【００２５】
また、洗浄装置１の各部品はガラス・ステンレス・合成樹脂・ゴム材など用いて、シンプル形状とさせて大量生産を可能とさせ安価とさせると共に、これら個々に分離した部品の組立によって強固で、修理必要時や試料管４時などの変更に伴う部品交換も容易とさせることができる。
【００２６】
以上のように、極めて簡単な構造の洗浄装置１に少量の洗浄液Ａを用いて、試料管４の外面及び内面を略同時に良好に洗浄すると共に、洗浄後は自動的に試料管４の外面及び内面の乾燥も略同時に行われるもので、これら洗浄及び乾燥に要する時間も極めて短時間で、経済性且つ能率性に秀れる。
【００２７】
なお、連通溝２１は何れの数や形状でも良く、例えば１本の直線状の溝や２本以上の複数本の溝でも良い。
【００２８】
図７・図８は保持体１０の変形構造例を示すもので、図７に示すものは保持体１０の上面を円板部９及びＯリング溝１７を有しない平坦面２２構造に設け、吸引管１３の外径より長さの長い連通溝２１を平坦面２２に刻設させたもので、前途実施例と同様の作用効果を奏する。
【００２９】
また図８に示す保持体１０は、保持体１０の上下両面に上下の円板部９・Ｏリング溝１７・連通溝２１をそれぞれ形成させ、下位置となるＯリング溝１７を吸出管１５の係合段部１５ａと係合する保持体１０の外側段部１０ａに兼用させると共に、小径及び大径２種類の吸引管１３・１３ａを嵌合させる一定長さの小径及び大径の嵌合孔１２・１２ａを吸引孔１１の上下両端に形成させ、吸引孔１１の内径は各嵌合孔１２・１２ａより小径とさせ、図８（１）に示す如く小径嵌合孔１２を上向きに保持体１０を吸出管１５に取付けるとき、小径の吸引管１３を保持体１０に挿入保持させ、図８（２）に示す如く大径嵌合孔１２ａを上向きに保持体１０を吸出管１５に取付けるとき、大径の吸引管１３ａを保持体１０に挿入保持させて、単一の保持体１０の表裏の取付けで小径及び大径２種類の試料管４の洗浄を可能とさせることができる。
【００３０】
以上実施例からも明らかなように、一端を閉塞する試料管４の開口端より吸引管１３を挿入させ、試料管４の閉塞部上方より供給する洗浄液Ａを試料管４の外側及び内側を流通させ吸引管１３で吸排出させて試料管４を洗浄するもので、試料管４の外側及び内側を流通する洗浄液Ａでむらなく確実に試料管４を洗浄すると共に、試料管４に外圧など作用させる必要のない洗浄を行って極薄の試料管４でも破損のない良好な洗浄を可能とさせることができる。
【００３１】
また、洗浄液Ａによる試料管４の洗浄後、試料管４の外側及び内側を吸引管１３で空気を流通させて試料管４を乾燥するもので、例えば洗浄液Ａの無くなった以後は吸引管１３により空気を自動的に吸込んで試料管４外側及び内側の良好且つ迅速な乾燥を可能とさせることができる。
【００３２】
さらに、一端を閉塞する試料管４の開口端４ｂを下側として試料管４を保持する保持体１０と、試料管４に上端側を挿入させ保持体１０に下端側を支持させる吸引管１３と、試料管４の外側に配設する洗浄液受管１４とを設け、試料管４の閉塞部上方より供給する洗浄液Ａを試料管４の外側及び内側を流通させ吸引管１３で吸排出させて試料管４を洗浄する一方、洗浄後は試料管４の外側及び内側を吸引管１３で空気を流通させて試料管４を乾燥するもので、試料管４の外側及び内側を洗浄液Ａ及び空気を流通させた良好な洗浄及び乾燥を行うと共に、洗浄及び乾燥作業中は吸引管１３から吸引力で試料管４の下端を保持体１０上面に吸着させる状態とさせて、試料管４を破損させることのない適正位置に保った洗浄及び乾燥を可能とさせることができる。
【００３３】
また、保持体１０の中央部に上側から下側に空気を流通させる吸引孔１１を形成させ、吸引管１３と吸引孔１１とを連通接続させると共に、試料管４の開口端４ｂと当接する保持体１０の上面に試料管４の内外側を連通させる連通溝２１を設けたもので、試料管４を保持体１０上面に一定立設状態で確実に保持すると共に、試料管４の外側から内側に連通溝２１を介して適正量の洗浄液Ａや空気を流入させて単に安定した洗浄及び乾燥を可能とさせることができる。
【００３４】
さらに、試料管４と吸引管１３と保持体１０と受管１４とをそれぞれ分離自在に設けたもので、例えば試料管４が管径或いは長さの異なるものに必要に応じ変更された場合にも、試料管４の管径或いは長さに応じた吸引管１３・保持体１０・受管１４に容易に変更可能とさせて、単一の洗浄装置１で各種試料管４の洗浄及び乾燥を容易に可能とさせることができる。  
【図面の簡単な説明】
【００３５】
【図１】洗浄装置の全体側面図。
【図２】洗浄部の断面説明図。
【図３】試料管取付部の説明図。
【図４】洗浄部の分解説明図。
【図５】保持体の斜視説明図。
【図６】洗浄液の流出説明図。
【図７】保持体の変形構造の説明図。
【図８】保持体の変形構造の説明図。
【符号の説明】
【００３６】
４    試料管
４ｂ  開口端
１０  保持体
１１  吸引孔
１３  吸引管
１４  受管
２１  連通溝
【図１】
2005081208.tif 000003
【図２】
2005081208.tif 000004
【図３】
2005081208.tif 000005
【図４】
2005081208.tif 000006
【図５】
2005081208.tif 000007
【図６】
2005081208.tif 000008
【図７】
2005081208.tif 000009
【図８】
2005081208.tif 000010